(57)【特許請求の範囲】
【請求項１】
搬送される用紙を印刷する印刷部と、圧胴上で該用紙に転写フィルムを押付けることにより表面処理を行う表面処理装置とを有し、該表面処理装置は該圧胴に対して接離可能な印刷機において、
該表面処理装置と該圧胴との間には開閉可能なシャッターが設けられており、該表面処理装置が該圧胴から離間した状態では、該シャッターが閉じた状態でのみ機械運転可能であることを特徴とする印刷機。
【請求項２】
該表面処理装置は、該圧胴に対して接離可能で該転写フィルムを該圧胴に押付ける押圧ローラを有し、該シャッターは該押圧ローラの該圧胴に対する離間時に該押圧ローラと該圧胴との間隙を遮蔽可能であることを特徴とする請求項１記載の印刷機。
【発明の詳細な説明】
【技術分野】
【０００１】
本発明は、印刷用紙に転写フィルムを押付けることにより、エンボス模様やホログラム模様等を転写して印刷面の付加価値を高めるための、印刷機の表面処理装置に関する。
【背景技術】
【０００２】
印刷済みのシート表面に転写フィルムを押付け、ホログラム模様等をインラインで転写形成できるものとして、例えば特許文献１に示すようなホログラム形成ユニット付き印刷機が開示されている。
【先行技術文献】
【特許文献】
【０００３】
【特許文献１】特開２００６−３１５２２９号公報
【発明の概要】
【発明が解決しようとする課題】
【０００４】
特許文献１の印刷機によると、圧胴に対してローラ対が接離可能になっている。よって、ホログラム形成ユニットを使用せず、印刷のみする場合、ローラ対はキャスティングフィルムを巻架した状態で圧胴から離間し、印刷のみを行うことが可能である。
しかしながら、このような印刷のみの運転中、ローラ対が回転する等してフィルムがたるみ、回転する圧胴に接触する可能性があり、改善の余地があった。また、回転する圧胴があるので、印刷のみの運転中にホログラム形成ユニット内のメンテナンス等を行いたくても、安全面から好ましくなく、印刷停止後にメンテナンスを行わざるを得なかった。
【０００５】
本発明はこのような問題を解決するためになされたもので、その目的は、安全性が向上し、かつ作業時間の短縮を図ることができる印刷機を提供することである。
【課題を解決するための手段】
【０００６】
本発明は、搬送される用紙Ｐを印刷する印刷部Ｂと、圧胴１６上で該用紙Ｐに転写フィルム１４を押付けることにより表面処理を行う表面処理装置Ｄとを有し、該表面処理装置Ｄは該圧胴１６に対して接離可能な印刷機において、
該表面処理装置Ｄと該圧胴１６との間には開閉可能なシャッター２４，２５が設けられており、該表面処理装置Ｄが該圧胴１６から離間した状態では、該シャッター２４，２５が閉じた状態でのみ機械運転可能であることを特徴とする。
また、本発明は、該表面処理装置Ｄは、該圧胴１６に対して接離可能で該転写フィルム１４を該圧胴１６に押付ける押圧ローラ１７，１８を有し、該シャッター２４，２５は該押圧ローラ１７，１８の該圧胴１６に対する離間時に該押圧ローラ１７，１８と該圧胴１６との間隙を遮蔽可能であることを特徴とする。
【発明の効果】
【０００７】
本発明の印刷機によれば、表面処理装置と圧胴との間には開閉可能なシャッターが設けられ、表面処理装置が圧胴から離間した状態では、シャッターが閉じた状態でのみ機械運転可能であるようにしたので、表面処理装置のメンテナンス等を安全に行うことができる。また、これらの作業の時間短縮を図ることができる。  
【図面の簡単な説明】
【０００８】
【図１】本発明に係る表面処理装置を備えた印刷機の一例を示す概略構成図である。
【図２】本発明に係る印刷機の表面処理装置の一部拡大図であって、シャッターが閉じた状態を示す。
【図３】本発明に係る印刷機の表面処理装置の一部拡大図であって、シャッターが開いた状態を示す。
【図４】本発明に係る印刷機の表面処理装置の制御部の構成を示す概略ブロック図である。
【発明を実施するための形態】
【０００９】
次に本発明を実施するための形態について図面を参照して説明する。
【００１０】
図１は表面処理装置を備えた印刷機の一例である。図１の概略側面図に示す通り、本実施例に係る印刷機は枚葉オフセット印刷機である。この印刷機は、紙積み台からフィーダ装置や用紙分離装置等により一枚ずつ印刷用紙としての枚葉紙Ｐを送り出すための給紙部Ａと、この給紙部Ａからの枚葉紙Ｐに印刷を行うための印刷部Ｂと、印刷された枚葉紙Ｐにニスコーティングをするニス塗布部Ｃと、枚葉紙Ｐ上のニス塗布面に転写フィルムを押付けて紫外線照射し、ニス塗布面に表面処理を施す表面処理装置Ｄと、枚葉紙Ｐを排紙するための排紙部Ｅとを備えている。
【００１１】
ここで印刷部Ｂは、１色の印刷が行えるように１台の印刷ユニットを備えた印刷部Ｂとしているが、１色以外の色、つまり複数の印刷が行える印刷部であってもよい。又、前記排紙部Ｅは、グリッパを備えるチェーン搬送装置にて構成しているが、チェーン搬送装置に限らなくてもよい。又、印刷機を構成する各部の具体的な構成は図に示されるものに限定されるものではない。
【００１２】
前記印刷部Ｂは、印刷版が巻回される版胴１とゴム胴２とインキローラ群３、そして圧胴４と渡し胴５とを備えている。図示していないが、前記胴４、５のそれぞれには、送り出されてきた枚葉紙Ｐを爪台と爪とで把持するグリッパを円周方向の２箇所（１箇所又は３箇所以上でもよい）に備えている。符号６は給紙胴であり、フィーダーボード７上を搬送される枚葉紙Ｐを図示しないスイングアームから受け取り、圧胴４に渡す役割を果たす。給紙胴６、スイングアームにも前記の爪台と爪が設けられている。
【００１３】
ニス塗布部Ｃはニス版胴８とニスゴム胴９、ニス圧胴１０とを有し、搬送される枚葉紙Ｐに有色あるいは無色の透明な紫外線硬化型樹脂ニスを塗布する。
【００１４】
表面処理装置Ｄは、転写フィルム１４が巻き付けられるとともに送り出し可能な供給ロール１１と、この供給ロール１１から送り出された転写フィルム１４を圧胴１６上の枚葉紙Ｐに押付ける押圧ローラ１７、１８と、押付けられた転写フィルム１４を巻き取る、巻き取りロール１２と、供給ロール１１と巻き取りロール１２との間に配置されたフィルム案内用ローラ群１３と、押圧ローラ１７、１８間の転写フィルム１４を照射して、転写フィルム１４越しに枚葉紙Ｐ上のニスを乾燥する紫外線照射部１５とを備えている。
押圧ローラ１７,１８と紫外線照射部１５とは図示しない支持部材に支持されて、支持部材駆動モータＭ３（図４）により上昇下降可能になっており、図１の二点鎖線で示すとおり、圧胴１６に対して接離可能となっている。
尚、転写フィルム１４は透明のフィルムにエンボス模様やホログラム模様等が凹凸として形成されており、この凹凸をニスが塗布された枚葉紙Ｐ上に転写するタイプと、金箔等の転移層が施された透明のフィルムをニスが塗布された枚葉紙Ｐに押付けることにより、この転移層を枚葉紙Ｐ上に転移させるタイプとがある。
【００１５】
給紙部Ａから搬送される枚葉紙Ｐは印刷部Ｂで印刷され、ニス塗布部Ｃでニスが塗布される。表面処理装置Ｄにて転写フィルム１４が枚葉紙Ｐに押付けられ、紫外線照射部１５により枚葉紙Ｐのニス塗布面は硬化されて転写フィルム１４と一体化し、搬送方向終端まで移動してきた転写フィルム１４と枚葉紙Ｐとが互いに離間する側に移動することによって両者が剥離され、転写フィルム１４は巻取りロール１２へ巻き取られ、硬化した紫外線硬化型樹脂ニスが一体化された枚葉紙Ｐは排紙部Ｅへ受け渡されることになる。転写フィルム１４を押し付けることによって、枚葉紙Ｐのニス塗布面を平滑にすることができ、光沢度をアップさせることができる利点がある。
【００１６】
図２、図３は表面処理装置Ｄの一部拡大図である。なお、圧胴１６や転写フィルム１４、これを案内する各ローラ等は省略している。印刷機の一対の側壁２１には圧胴１６の軸方向（図２の奥行き方向であり、枚葉紙Ｐの幅方向）にピン２１ａ、２１ｂが設けられており、このピン２１ａ、２１ｂにそれぞれエアシリンダ２２、２３が軸支されている。そしてエアシリンダ２２，２３にはシャッター２４、２５が一体的に固定されている。シャッター２４，２５には案内片２４ａ、２５ａが固定されており、各案内片には案内ピン２４ｂ、２５ｂが設けられている。一方、側壁２１にはガイド溝２６、２７が設けられており、案内ピン２４ｂ、２５ｂは、それぞれガイド溝２６、２７に挿入されている。なお、エアシリンダ２２,２３は側壁２１の内側にそれぞれ一対設けられている。
よって、エアシリンダ２２，２３の伸縮に伴い、シャッター２４,２５は案内ピン２４ｂ、２５ｂがガイド溝２６,２７に案内されることにより、圧胴１６と表面処理装置の押圧ローラ１７,１８等との間隙を開閉可能となっている。図２はシャッター２４,２５が閉じた状態を、図３はシャッター２４,２５が開いた状態を示している。
【００１７】
シャッター２４，２５は圧胴１６の軸方向全幅に亘って設けられ、表面処理装置Ｄの下部（押圧ローラ１７，１８等）と圧胴１６等の枚葉紙Ｐの搬送部分とを完全に遮蔽可能になっている。なお、前述の押圧ローラ１７,１８と紫外線照射部１５とを支持した図示しない支持部材が上昇していないと、シャッター２４,２５は閉じることが出来ないようになっている。
【００１８】
表面処理装置Ｄには電磁スイッチ２８，２９が設けられており、この電磁スイッチ２８,２９に係脱可能な係合部２４ｃ、２５ｃがシャッター２４,２５にそれぞれ設けられている。電磁スイッチ２８,２９は係合部２４ｃ、２５ｃが係合されている時に係合部２４ｃ、２５ｃを離脱不能に保持する電磁ロック機構を備えている。具体的には電磁ロックタイプのインターロックスイッチである。この電磁ロック機構により、エアシリンダ２２,２３のエア供給が切れたとしても、シャッター２４,２５が不用意にあいてしまうことがないという利点がある。
【００１９】
また、符号３０，３１はガイド部であり、側壁２１の軸に設けられ、ガイド部駆動モータＭ２（図４）により枚葉紙Ｐの幅方向に移動可能なガイドブロック３０ａ、３１ａと、このガイドブロック３０ａ、３１ａに固定されたガイド本体３０ｂ、３１ｂとから構成される。ガイド部３０、３１は圧胴１６の軸方向に二組設けられる。ガイド部３０、３１は押圧ローラ１７,１８等が圧胴１６から上昇した離間時、すなわち表面処理装置Ｄの非使用時に、印刷部Ｂのみを使用して印刷作業を行う際、圧胴１６により搬送される枚葉紙Ｐが傷つかないようにガイドの役割を果たす。ガイド部３０,３１は枚葉紙Ｐの幅方向に移動可能であり、搬送される枚葉紙Ｐの非印刷部分である両端に位置するように制御され、ガイド部３０，３１が直接印刷部分に当たらないように工夫されている。
【００２０】
表面処理装置Ｄの使用時には、転写フィルム１４等との接触がないようにガイド部３０，３１はそれぞれ幅方向両端へ移動するよう、制御される。なお、ガイド部３０，３１の詳細については、特開２００９−７２９３２号に開示している。
【００２１】
図４は本発明に係る印刷機の表面処理装置の制御部の構成を示す概略ブロック図であり、印刷機本体を駆動する本機モータＭ１、前述のエアシリンダ２２，２３、電磁スイッチ２８，２９、ガイド部駆動モータＭ２、支持部材駆動モータＭ３、制御部３２により構成されている。制御部３２は演算処理等を行うマイクロプロセッサ３２ａ(シーケンサでもよい)、データ及び所定のプログラム（演算式あるいはテーブル等）を記憶するＲＯＭ３２ｂ、機械回転数等に関する種々の情報を記憶可能なＲＡＭ３２ｃ、マイクロプロセッサ３２ａと制御部３２外部に設けられた装置との間における各種信号のやりとりを仲介するインターフェイス３２ｄ等を用いて構成されている。
【００２２】
本発明の作用について説明する。表面処理装置Ｄの使用時は、シャッター２４,２５は図３のように開いた状態となっており、ガイド部３０，３１は前述の通り、それぞれ幅方向両端へ移動する。前述の図示しない支持部材は押圧ローラ１７,１８と紫外線照射部１５とを支持した状態で下降する。
この状態で、表面処理装置Ｄの転写フィルム１４は圧胴１６を搬送される枚葉紙Ｐに押付けられ、表面処理が行われる。
【００２３】
次に表面処理装置Ｄの非使用時に印刷部Ｂのみを使用して印刷作業を行う際、図示しない支持部材は押圧ローラ１７,１８と紫外線照射部１５とを支持した状態で上昇する。この時、図２のようにシャッター２４,２５が閉じた状態とならないと本機モータＭ１が駆動しない（運転ができない）ように制御部３２は印刷機（本機モータＭ１）を制御する。ガイド部３０，３１は使用される枚葉紙Ｐにあわせて幅方向に適宜移動する。このように印刷部Ｂの単独運転時はシャッター２４,２５が閉じないと運転不可能としたので、印刷部Ｂの運転をしながら表面処理装置Ｄのメンテナンス等を安全な状態で行うことが可能となり、また、作業時間の短縮化を図ることができる。
【００２４】
また、本実施例においては、非運転時（本機モータＭ１停止時）にシャッター２４,２５が開いている場合、例え表面処理装置Ｄのカバーが閉まっていたとしても、運転できないよう制御されている。これは、表面処理装置Ｄのメンテナンスにおいて、例えば部品の締め付けが良くなかった場合、シャッター２４,２５が開いたまま運転可能とすると、部品が落下して回転する圧胴１６に挟まれ、破損することを防ぐための制御である。
【００２５】
尚、本発明は、前記実施形態に限定されるものではなく、本発明の要旨を逸脱しない範囲で種々の変更が可能である。例えば前述の実施形態では、枚葉オフセット印刷機であったが、これに限定されず、インクジェット式印刷機やフレキソ印刷機のようなものであってもよい。
【産業上の利用可能性】
【００２６】
本発明に係る印刷機の表面処理装置は、印刷面の付加価値を高めるための表面処理装置を備えた印刷機において極めて有用である。
【符号の説明】
【００２７】
１６  圧胴            １７  押圧ローラ      １８  押圧ローラ
２２  エアシリンダ    ２３  エアシリンダ    ２４  シャッター
２５  シャッター      ２８  電磁スイッチ    ２９  電磁スイッチ
３２  制御部            Ｄ  表面処理装置    Ｍ３  支持部材駆動モータ
【図１】
0005468929.tif 000002
【図２】
0005468929.tif 000003
【図３】
0005468929.tif 000004
【図４】
0005468929.tif 000005